(57)【要約】　　　（修正有）【課題】一連の作業を片手でできるように、巻尺を送り出し装置付き巻尺にする。【解決手段】上下カバー１１，７内に設けられている支点２４にアーム１の端を軸支し、アーム１をＢ点方向に回転させた後Ａ点までもどるようにバネ３を設け、アーム１の一方の端に操作部２を設ける。ドラム６にドラム受動部４を設け、アーム１をＢ点方向に回転させたときドラム受動部４にアーム１が当たる構造にする。操作部２がＡ点にある時ドラム受動部４が、ドラム６の回転にともなってドラム受動部回転軌道８を回転してもドラム受動部４とアーム１が当たらない位置関係にする。上カバー１１の操作部回転軌道２６にあたる部分に操作部移動スリット１２をもうけ、そこから操作部２を突き出す。【選択図】　　　図１
2004132938.tif 000002
【特許請求の範囲】
【請求項１】
腰の強い目盛り帯を備え、それをバネの力により巻き取り収納する構造を持った巻尺において、後記目盛り帯（１０）を巻きまわしているドラム（６）を装着している方のカバーを下カバー（７）とし、それの蓋となる部分を上カバー（１１）として以下説明する。
その巻尺の上下カバー（１１）（７）内に設けた支点（２４）にアーム（１）の端を軸支し、図１のＢ点方向に回転させた時Ａ点方向にもどるように復元性を持たせ、アーム（１）のもう一方の端をその操作部（２）とし、必要に応じて変形加工し、外部から操作できる構造にする。
目盛り帯（１０）を巻き回すドラム（６）が、目盛り帯（１０）を完全に収納巻き取った状態で、操作部（２）がＡ点にある時、ドラム（６）の部位であって、アーム（１）から直角にドラム軸（５）の中心に交わる直線より操作部（２）寄りに位置する部位にドラム受動部（４）を設ける。
アーム（１）とドラム受動部（４）の構造は、アーム（１）をＢ点方向に回転させたときにその作動がリール受動部（４）に作用する構造形状にし、アーム（１）がＡ点にある時リール受動部（４）が、ドラム（６）の回転にともなってドラム受動部回転軌道（８）を回転してもアーム（１）がその回転を妨げない位置関係にする。
以上の構造を特徴とする送りだし装置付き巻尺。
【請求項２】
図４、５、によって説明すれば、アーム（１）にＴ型に設けた操作部（２）を上下カバー（７）（１１）に設けた操作部移動スリット（１２）から外部に出した構造を特徴とする、請求項１記載の送りだし装置付き巻尺。
【請求項３】
図６、７によって説明すれば、支点（２４）に変えてハンドルシャフト（３４）を上下カバー（７）（１１）を貫いて回動自在に設け、それの上下カバー（７）（１１）内にアーム（１）を固着し、外部にハンドル（１３）を固着する。
以上の構造を特徴とする請求項１、記載の送り出し装置付き巻尺。
【請求項４】
図１０によって説明する、上下カバー（１１）（７）内の支点（２４）にアーム作動スリット（１９）を設けたアーム（１）の端を回動自在に装着し、支点（２４）よりも引出し口（２５）寄りに位置する上下カバー（７）（１１）内に設けた支点Ｂ（２２）にアーム受動部（２３）を装着したアームＢ（１６）の端を回動自在に設ける、そのさいアーム受動部（２３）をアーム作動スリット（１９）に差し込んでアーム（１）とアームＢ（１６）を連動するようにし、ドラム受動部（４）にアームＢ（１６）の作動が作用する構造とする。
以上の構造を特徴とする請求項１、記載の送り出し装置付き巻尺。
【請求項５】
図１１によって説明すれば，アーム（１）をＡ点まで復元させるための復元体（２０）によって支点（２４）に連結することを特徴とする、請求項１、記載の送り出し装置付き巻尺。
【請求項６】
図１３、１４によって説明すれば，ドラム（６）に設けた作動爪受動部（３０）にＣ点方向へのアーム（１）の動きを伝動作用する作動爪（２８）をアーム（１）又は、アーム（１）の作動部（２）に装着する。
作動爪（２８）が、作動爪受動部（３０）に接触しながら図１３のＡ点からＢ点、Ｃ点の方に回転する時、作動爪（２８）はアーム（１）との角度を変化させながら作動爪受動部（３０）にその動きを伝達するために、軸支してバネＢ（３１）を装着するか、イタバネやコイルバネその他による首振り性を作動爪（２８）に持たせる。
以上の構造からなる、請求項１、に記載の送り出し装置付き巻尺。
【請求項７】
請求項１、２、３、４、５、６に記載した、アーム（１）か又は、それと作用が同じでドラム（６）を回転させ、目盛り帯を送り出すための梃子的な部品を備えている事。
そして、その梃子的な部品の一方の端を軸支されているか、請求項５に記載した復元体（２０）を介して装着されている事により、どちらも首振り可能であり，その首振り運動によってドラム（６）を回転させ目盛り帯（１０）を送り出すことを特徴とする、請求項１、記載の送り出し装置付き巻尺。
【請求項８】
図１８によって説明すれば、カバーの外部からドラム（６）に目盛り帯（１０）の送り出し専用のハンドルＢ（１７）を装着する。
以上の構造を特徴とする請求項１記載の送りだし装置付き巻尺。
【請求項９】
図１９によって説明すれば、ドラム（６）に目盛り帯（１０）の送り出し専用ハンドル（１３）を設け、ハンドル操作窓（１４）を設けて、そこからハンドル（１３）を突き出す。
以上の構造を特徴とする請求工１記載の送り出し装置付き巻尺。
【発明の詳細な説明】
【０００１】
【発明の属する技術分野】
この発明は、腰が強い目盛り帯を持ち、それをバネによる巻取り装置によって巻き取り収納する構造の巻尺に、目盛り帯送り出し装置を装着した巻尺に関する。
【０００２】
【従来の技術】
従来、電動機による送りだし装置のアイデアなどがあった。
送りだし装置が無いものがほとんどだった。
腰の柔らかい目盛り帯を使用した手巻き式の巻尺には、巻き取り専用のハンドルでリールを回転させる物があった。
【０００３】
【発明が解決しようとする課題】
これには次のような欠点があった。
（イ）電動機による送りだし装置の場合構造が複雑なうえ、電源も搭載しているため重くて大きくて高価で、使いかってが悪いと想像できる。
（ロ）送りだし装置が無い場合、片手で巻尺を持ちもう一方の手で計測対象物を持っている場合、一度計測対象物を手から離して目盛り帯をある程度引き出してからもう一度計測対象物を手に持ち計測しなければならなかった。（ハ）高所作業などで、体を安定させる為に片手で体を支えている場合などは計測がしにくかった。
本発明は、このような欠点を無くす為に、上記巻尺による計測を片手で行えるようになされたものであり、又、従来の手巻き式の巻き取り専用のハンドルではなく、バネによる巻取り機能を持つ巻尺を、片手に持ったその手で目盛り帯を数センチメートル送り出すことを目的とする。
【０００４】
【課題を解決するための手段】
図１、図２によって説明すれば、腰の強い目盛り帯を備え、それをバネの力により巻き取り収納する巻尺において、以下、ドラム（６）を装着しているカバーを下カバー（７）とし、その蓋になる方を上カバー（１１）として説明する。
上記巻尺の上下カバー（１１）（７）内に設けた支点（２４）にアーム（１）の端を回動自在に装着し、図１のＢ点方向に回転させた後Ａ点にもどるような復元性を持たせるためにバネ（３）を装着し、アーム（１）の一方の端を作動部（２）としてこれを操作部作動スリット（１２）から外部に出し、操作できる構造とする。
目盛り帯（１０）を巻き回すドラム（６）が、目盛り帯（１０）を完全に収納巻き取った状態で、操作部（２）がＡ点にある時、ドラム（６）の部位であって、アーム（１）から直角にドラム軸（５）の中心に交わる直線より操作部（２）寄りに位置する部分にドラム受動部（４）を設ける。
リール受動部（４）はアーム（１）をＢ点方向に回転させたときにアーム（１）に当たる高さにして、アーム（１）の作動がドラム受動部（４）を介してドラム（６）を回転させ、それによって目盛り帯（１０）が数センチメートル送り出される。
更に、アーム（１）がＡ点にある時ドラム受動部（４）が、ドラム（６）の回転にともなってドラム受動部回転軌道（８）を回転してもアーム（１）がその回転を妨げない位置関係にしてあり、そのためにアーム（１）をＡ点に保持しておけば目盛り帯（１０）を長く引出す時も、巻きと取り収納する時もドラム（６）はスムーズに回転するのである。
上カバー（１１）の作動部回転軌道（２１）にあたる部分に作動部移動スリット（１２）を設け、そこから必要に応じて加工変形された作動部（２）を突き出す。
必要に応じて作動部（２）に図２、３、４、５に示したような使いやすい形状のハンドル（１３）のような物を装着する。
【０００５】
【発明実施の形態】
以下、発明実施の形態について説明する。
本発明は，以上のような構造で、これを使用する時は巻尺の丸い部分を親指の付け根付近で支え、その反対を中指、薬指，小指で挟むように浅く持ち、人差し指で操作部（２）あるいはハンドル（１３）を図１に示したＢ点方向に回転させれば、アーム（１）がドラム受動部（４）を押して、それを装着しているドラム（６）が回転して目盛帯（１０）を送りだす。
送り出された目盛り帯（１０）のフック（９）を計測対象物にひっかけて更に目盛り帯（１０）を引き出すなどして計測する．
本発明では、５，５メートルの巻尺で６−９センチメートルしか送り出せないがそれだけ送り出せれば、簡単にフック（９）を引っ掛けて計測できる。
従って、片手で巻尺を持ちもう一方の手で目盛り帯（１０）を引出す手間が無くなるのである。
ドラム受動部（４）は棒状のような物でも良いが、回転軸に装着されたローラーのような物の方が少ない操作力で目盛り帯（１０）を送り出せる。
又、アーム（１）は棒状の物に限らず、本発明の巻尺を小型にしようとするならば板状の物が適していると思われる。
【０００６】図４、５、によって説明すれば、請求項１記載の巻尺の操作性改善ために操作部（２）を、上下カバー（７）（１１）双方に設けた操作部移動溝（１２）から突き出し、それに図示したようなハンドル（１３）を装着すれば、左右どちらの手でも操作できる。
左手で操作する時のアーム（１）や操作部（２）のねじれや歪を少なくする為に、図４、５ではドラム受動補助部（２６）と補助アーム（２７）を増設している。
【０００７】図６、７によって説明すれば、支点（２４）に変えてハンドルシャフト（３４）を上下カバー（７）（１１）を貫いて回動自在に設け、それの上下カバー（７）（１１）内にアーム（１）を固着し、外部にハンドル（１３）を固着する。
ハンドル（１３）を作動する事によりハンドルシャフト（３４）が回転し、それに固着されているアーム（１）がドラム受動部（４）に作用するのである。
この構造は，図８、９に示した防塵シート（３２）の必要がなく、本巻尺内への塵の侵入を効率よく防げる。
【０００８】図１０によって説明すれば、上下カバー（１１）（７）内の支点（２４）にアーム作動スリット（１９）を設けたアーム（１）の端を回動自在に装着し、支点Ｂ（２２）にアーム受動部（２３）を設けたアームＢ（１６）を回動自在に設ける、そのさいアーム受動部（２３）をアーム作動スリット（１９）に差し込んだ状態にする。
アームＢ（１６）とアーム（１）の上下位置関係は、アームＢ（１６）の方がアーム（１）よりドラム（６）側に位置する構造の方がこのましい。
アームＢ（１６）の力点は作用点より支点近くに位置しているため、梃子の原理によりアーム（１）の作動角度よりも多くアームＢ（１６）が作動することになりその結果、請求項１より３ｃｍくらい長く目盛り帯（９）を送り出す構造になりる。
アーム（１）のもう一方の端の操作部（２）を外部から操作することにより、アーム（１）からアームＢ（１６）、リール受動部（４）を介してドラム（６）に回転を伝えられる。
図１０は、上カバー（１１）に請求項４の構造物を装着した図になっているが、動作説明図であるため、本来は下カバー（７）にあるドラム受動部（４）、フック（９）目盛り帯（１０）を想像で描いている、そして、目盛り帯（１０）を送り出すための構造物も下カバー（７）に装着する事も出来る。
アーム受動部（２３）はピンのようなものでもよいが、軸支されたローラーのような物の方が、機構全体の動きがスムーズになる。
本請求項では、アーム（１）にアーム作動スリット（１９）、アームＢ（１６）にアーム受動部（２３）を設け、それらを介してお互いを連動させる方法を述べているが、これ以外にもアームＢ（１６）の力点より作用点の方が支点から遠くに位置し、アーム（１）に作動させられる構造にすれば、目的は達成できる。
【０００９】図１１に示した板バネか、棒状のような復元性のある復元体（２０）によってアーム（１）を支点（２４）に連結する方法でも本願目的は達成できる。
【００１０】図１３、１４によって説明すれば，リール（６）に設けた作動爪受動部（３０）にＣ点方向へのアーム（１）の動きを伝達作用する作動爪（２８）をアーム（１）の作動部（２）に装着している。
作動爪（２８）が、作動爪受動部（３０）に接触しながら図１０のＡ点からＢ点、Ｃ点の方に回転する時、作動爪（２８）はアーム（１）との角度を変化させながら作動爪受動部（３０）にその動きを伝達するために、軸支してバネＢ（３１）を装着するか、イタバネやコイルバネ、その他による首振り性を作動爪（２８）に持たせる。
図１３に示したように、作動爪（２８）とアーム（１）の角度を保持する　作動爪開止部（２９）を上下カバー（７）（１１）のいずれかに設けている。
アーム（１）がＡ点からＢ点に達した時、作動爪（２８）は作動爪開止部（２９）の支えを無くし角度が狭くなって、作動爪受動部（３０）に接触し、さらにアーム（１）の作動に連動してドラム（６）が回転するのである。
【００１１】請求項１、２、３、４、５、の原理は、アーム（１）の一方の端を軸支するか、復元体（２０）を介して首振り可能に装着された梃子的部品の首振り運動をリール（６）に伝達してこれを回転させることにある。
したがって、前記アーム（１）の装着はこの原理上基本的な構造であり、ただし、アーム（１）の形状は棒状に限らず、板状の物でも良い。
図１、１０、１２、１３に示したようにアーム（１）の作動範囲にドラム軸（５）が位置しているため、ドラム軸受がアーム（１）の作動を妨げないようにする為、片方の軸受けはカバーと分離させるか、片持ち軸受けにするか、又は、アーム（１）を図１７に示したような軸受けにあたらないような形状にする必要がある。
図１２に示したように、初動操作を軽くする為にアーム（１）の中間部を少し曲げ、目盛り帯（１０）の送り出しを長くするために先端近くで曲げるなど、アーム（１）の形状はさまざまなものが考えられる。
【００１２】図１８のようにドラム（６）の中心にハンドルＢ（１７）を上カバー（１１）の外から装着しても本願目的は達成できる。
【００１３】図１９のようにドラム（６）にハンドル（１３）を装着し、上カバー（１１）に設けたハンドル操作窓からそれを操作できる構造にしても本願目的は達成でき、この図では、防塵の為のハンドル円盤（１６）にハンドル（１３）を設けそれをドラム（６）に装着している。
【００１４】請求項８、９のハンドル（１３）とハンドルＢ（１７）は、手巻き巻尺の巻き取り専用ハンドルではなく、片手で目盛り帯（１０）を送り出せる送り出し専用ハンドルとして考案されたものであり、目盛り帯（１０）を完全に巻き取った時、引出し口（２５）近くの最も操作性の良い位置に停止することが好ましい。
【００１５】図１５では本発明のアーム（１）、バネ（３）、支点（２４）、操作部移動スリット（１２）などの構成物を上カバー（１１）に装着した図であり、図１６はそれを組合わす下カバー（７）の図であり、多くの本願図面で下カバー（７）に装着されている送り出し装置もこのようなレイアウトで構成することができる。
【００１６】図８、９は、塵の侵入を防ぐ防塵シート（３２）である。
操作部移動スリット（１２）に弾性質のシートを装着し、操作部（２）の移動範囲に切り込み（３３）を入れ、そこから操作部（２）を外部に突き出す。
操作部（２）が位置する所以外は切り込み（３３）が閉じて塵の侵入を防ぐ。
【発明の効果】
従来のように、片手に巻尺を持ちもう一方の手で目盛り帯を引出す手間が省けるため、片手に計測対象物を持っている時や片手がふさがっている時でもスピーデーに計測作業ができる。
送り出す長さは５，５メートル巻尺で６−９センチメートル程度であり、短いように思えるがこれで充分フック（９）を計測対象物に引っ掛けられる。
【図面の簡単な説明】
【図１】本発明巻尺の上カバー（１１）を取り除いた状態の動作説明正面図である。
【図２】本発明巻尺の分解斜視図である
【図３】本発明巻尺の動作説明斜視図である。
【図４】本発明巻尺請求項２のカバーを一部切り欠いた斜視図である。
【図５】図４の動作説明平面図であり、カバーを一部切り欠いたものである。
【図６】本発明、請求項３の斜視図で一部を切りかいた図である。
【図７】図６の平面図で、カバーを一部切りかいた図である
【図８】本願、発明実施の形態００１６説明の斜視図である。
【図９】本発明、図８の防塵シート（３２）説明の拡大断面図である。
【図１０】本発明、請求項４の動作説明正面図である。
【図１１】本発明、請求項５の動作説明正面図である。
【図１２】本発明、発明実施の形態００１１記載のアーム形状説明の正面図である。
【図１３】本発明、請求項６の構成を示した正面図。
【図１４】本発明、請求項６の斜視図で上下カバー（７）（１１）を外した図。
【図１５】本発明、発明実施の形態００１５に記載した構成を示す正面図。
【図１６】本発明、発明実施の形態００１５に記載した構成を示す斜視図。
【図１７】本発明、発明実施の形態００１１に記載した構成を示した正面図。
【図１８】本発明、請求項８の分解斜視図である。
【図１９】本発明、請求項９の分解斜視図。
【符号の説明】
１アーム
２操作部
３バネ
４ドラム受動部
５ドラム軸
６ドラム
７下カバー
８ドラム受動部回転軌道
９フック
１０目盛り帯
１１上カバー
１２操作部移動スリット
１３ハンドル
１４ハンドル操作窓
１５ハンドル円盤
１６アームＢ
１７ハンドルＢ
１８ハンドルＢ取り付け部
１９アーム作動スリット
２０復元体
２１操作部回転軌道
２２支点Ｂ
２３アーム受動部
２４支点
２５引出し口
２６ドラム受動補助部
２７補助アーム
２８作動爪
２９作動爪開止部
３０作動爪受動部
３１バネＢ
３２防塵シート
３３防塵スリット
３４ハンドルシャフト
【図１】
2004132938.tif 000003
【図２】
2004132938.tif 000004
【図３】
2004132938.tif 000005
【図４】
2004132938.tif 000006
【図５】
2004132938.tif 000007
【図６】
2004132938.tif 000008
【図７】
2004132938.tif 000009
【図８】
2004132938.tif 000010
【図９】
2004132938.tif 000011
【図１０】
2004132938.tif 000012
【図１１】
2004132938.tif 000013
【図１２】
2004132938.tif 000014
【図１３】
2004132938.tif 000015
【図１４】
2004132938.tif 000016
【図１５】
2004132938.tif 000017
【図１６】
2004132938.tif 000018
【図１７】
2004132938.tif 000019
【図１８】
2004132938.tif 000020
【図１９】
2004132938.tif 000021